(57)【特許請求の範囲】
【請求項１】
中心から放射状に延びる４個の脚体を有してなるブロックであって、該ブロックの前記脚体の軸線は該ブロックの重心と合致するように構成されてなる消波ブロックにおいて、
前記４個の脚体のうち、３個の前記脚体の基端部が各々集合している４箇所の部位はそれぞれ略平面をなして形成し、該略平面に凹陥部を形成してなることを特徴とする消波ブロック。
【請求項２】
上記凹陥部は、第１凹陥部と第２凹陥部からなり、該第１凹陥部は上記略平面における上記各脚体の基端部に隣接した部位に形成され、該第２凹陥部は該第１凹陥部の内方に段設部を設けて形成されてなることを特徴とする請求項１記載の消波ブロック。
【請求項３】
上記第１及び第２凹陥部の内面の全部又は一部に微小の凹凸を設けていることを特徴とする請求項２記載の消波ブロック。
【請求項４】
中心から放射状に延びる４個の脚体を有してなるブロックであって、該ブロックの前記脚体の軸線は該ブロックの重心と合致するように構成されてなる消波ブロックにおいて、
前記４個の脚体の軸線が交わる中心部に形成された空洞の貯留部と、
前記４個の脚体のうち前記３個の脚体の基端部が各々集合している４箇所の部位はそれぞれ略平面をなして形成し、該略平面に凹陥部を形成してなり、前記４個の各凹陥部内と前記貯留部内とを各々連通してなる４個の管状連結部とを備えてなることを特徴とする消波ブロック。
【請求項５】
上記凹陥部は、第１凹陥部と第２凹陥部からなり、該第１凹陥部は上記略平面における上記各脚体の基端部に隣接した部位に形成され、
該第２凹陥部は該第１凹陥部の内方に段設部を設けて形成されてなることを特徴とする請求項４記載の消波ブロック。
【発明の詳細な説明】
【技術分野】
【０００１】
本発明は港湾、漁港、海岸、河川等の岸近くに配設されて消波構造物を構築するコンクリート製の消波ブロックに関するものである。
【背景技術】
【０００２】
従来、漁港、海岸、河川等において、外海等から来襲する波浪を遮り、静穏な水面保持を図ることを目的として、岸近くに消波ブロックを敷き並べて消波構造物を構築することが知られている。
【０００３】
また、消波構造物を構築するのに使用する消波ブロックとして、中心から放射状に延びる４個の脚体を有してなるブロックであって、該消波ブロックにおける前記脚体の軸線を該ブロックの重心と合致するように構成してなるコンクリート製の消波ブロックも従来から知られている（例えば、特許文献１参照）。
【０００４】
上記特許文献１に記載の消波ブロックは、外周面が傾斜して基端部から先端部にかけて次第に断面積が小さくなる先細り形にしてなる４個の脚体を、該４個の脚体における軸線が交わる中心部から各々略１２０°間隔で放射状に延びるようにして設けた構造にしてある。
【特許文献１】特開２００６−３４８５７２号公報（図１、図２）。
【発明の開示】
【発明が解決しようとする課題】
【０００５】
上述した特許文献１に記載の発明は、中心から放射状に延びる４個の脚体を有してなる構造であり、中心から放射状に４個の脚体が延びている以外には波のエネルギーを吸収して消波効果を維持するための凹陥部や空洞部等は特に設けられていない。また、藻や魚介類等の生息環境を形成する凹陥部や空洞等も設けられていない。
【０００６】
したがって特許文献１記載の消波ブロックを使用して消波構造物を構築する場合は、さらに十分な消波効果が期待でき、かつ、藻や魚介類等の多様な生息環境を形成する工夫も必要になる。このため、施工作業が面倒で、また藻や魚介類等の生息環境作りを行うための手段を別に設置する必要があることから、工事費が嵩むという問題があった。
【０００７】
そこで、消波効果を一層向上させ、かつ、藻や魚介類等の生息環境にも寄与できる消波ブロックを提案するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、中心から放射状に延びる４個の脚体を有してなるブロックであって、該ブロックの前記脚体の軸線は該ブロックの重心と合致するように構成されてなる消波ブロックにおいて、
前記４個の脚体のうち、３個の前記脚体の基端部が各々集合している４箇所の部位はそれぞれ略平面をなして形成し、該略平面に凹陥部を形成してなる消波ブロックを提供する。
【０００９】
この構成によれば、波の水魂の一部が凹陥部により吸収され、また凹陥部から流出される水魂と凹陥部外側の水魂相互が衝突する。
【００１０】
また、凹陥部は例えば平面視角形に形成すると多数の隅角部が作られ、海藻が付着しやすくなり、又、該隅角部の底面は脚体表面から奥まった位置となり、波の衝撃が緩和する。
【００１１】
請求項２記載の発明は、上記凹陥部は、第１凹陥部と第２凹陥部からなり、該第１凹陥部は上記略平面における上記各脚体の基端部に隣接した部位に形成され、該第２凹陥部は該第１凹陥部の内方に段設部を設けて形成されてなる請求項１記載の消波ブロックを提供する。
【００１２】
この構成によれば、第１凹陥部(上段)はブロック外面近くに設けられているので水が溜まりにくいが、第２凹陥部（下段）は第１凹陥部よりも奥まった内側に設けられているので水が溜まり、静隠域が形成されて海藻等の胞子を捕捉し易くする。
【００１３】
請求項３記載の発明は、上記第１及び第２凹陥部の内面の全部又は一部に微小の凹凸を設けている請求項２記載の消波ブロックを提供する。
【００１４】
この構成によれば、底面の微小の凹凸により該底面に藻類及びアワビ等の貝類の付着をし易くする。
【００１５】
請求項４記載の発明は、中心から放射状に延びる４個の脚体を有してなるブロックであって、該ブロックの前記脚体の軸線は該ブロックの重心と合致するように構成されてなる消波ブロックにおいて、
前記４個の脚体の軸線が交わる中心部に形成された空洞の貯留部と、前記４個の脚体のうち前記３個の脚体の基端部が各々集合している４箇所の部位はそれぞれ略平面をなして形成し、該略平面に凹陥部を形成してなり、前記４個の各凹陥部内と前記貯留部内とを各々連通してなる４個の管状連結部とを備えてなる消波ブロックを提供する。
【００１６】
この構成によれば、波の水魂の一部が凹陥部により吸収され、また凹陥部から流出される水魂と凹陥部外側の水魂相互が衝突する。
【００１７】
また、荒天時の波浪は、該波浪の一部である水魂が凹陥部と管状連結部を通って貯留部に至るとき、急縮・急拡されてエネルギー損失が起きる。特に、貯留部に貯留された水魂は、引き波時に反射波と位相差をもって放出される。
【００１８】
さらに、凹陥部は例えば平面視角形に形成すると多数の隅角部が作られ、該隅角部の底面は脚体表面から奥まった位置となり、波の衝撃が緩和する。また、静穏時に前記空洞の貯留部は稚魚・魚介類の産卵場や生息場にもなる。
【００１９】
請求項５記載の発明は、上記凹陥部は、第１凹陥部と第２凹陥部からなり、該第１凹陥部は上記略平面における上記各脚体の基端部に隣接した部位に形成され、該第２凹陥部は該第１凹陥部の内方に段設部を設けて形成されてなる請求項４記載の消波ブロックを提供する。
【００２０】
この構成によれば、第１凹陥部(上段)はブロック外面近くに設けられているので水が溜まりにくいが、第２凹陥部（下段）は第１凹陥部よりも奥まった内側に設けられているので水が溜まり易く、該第２凹陥部に海藻等の胞子が捕捉し易くなる。
【発明の効果】
【００２３】
請求項１記載の発明は、凹陥部から流出される水魂と該凹陥部外側の水魂相互の衝突により、波のエネルギーが低減されて消波を促進する効果が期待できる。
【００２４】
また、凹陥部の奥深い部分では波の衝撃が緩和されるので、藻や魚介類が生息するのに好適な環境を提供することができる。このため、従来において、消波ブロックの設置とは別に設けていた藻や魚介類の生息環境を形成する手段が不要になり、工費等のコスト低減も可能になる。
【００２５】
請求項２記載の発明は、奥まった第２凹陥部に水が溜まるようにし、該第２凹陥部内に海藻等の胞子を捕捉し易くしているので、請求項１記載の発明の効果に加えて、藻類や魚介類が生息するのに適した環境もより一層向上する。
【００２６】
請求項３記載の発明は、第２凹陥部に設けた底面の微小な凹凸により該底面に藻類及びアワビ等の貝類の付着をし易くしているので、請求項２記載の発明の効果に加えて、藻類や魚介類が生息するのに適した環境もさらに一層向上する。
【００２７】
請求項４記載の発明は、凹陥部から流出される水魂と該凹陥部外側の水魂相互の衝突により、波のエネルギーが低減されて消波を促進する効果が期待できる。  
【００２８】
また、荒天時の波浪は、該波浪の一部である水魂が凹陥部と管状連結部を通って貯留部に至るとき、急縮・急拡されてエネルギー損失が起こり、消波する効果が得られる。特に、貯留部に貯留された水魂は、引き波時に反射波と位相差をもって放出されるので、より一層消波効果が高まる。
【００２９】
さらに、凹陥部の奥深い部分では波の衝撃が緩和されるので、藻や魚介類が生息するのに好適な環境を提供することができる。このため、従来において、消波ブロックの設置とは別に設けていた藻や魚介類の生息環境を形成する手段が不要になり、工費等のコスト低減も可能になる。
【００３０】
請求項５記載の発明は、奥まった第２凹陥部に水が溜まるようにし、該第２凹陥部内に海藻等の胞子を捕捉し易くしているので、請求項４記載の発明の効果に加えて、藻類や魚介類が生息するのに適した環境も一層向上する。
【発明を実施するための最良の形態】
【００３２】
消波効果が高く、また藻や魚介類等の生息環境にも寄与することができる消波ブロックを提供するという目的を達成するために、中心から放射状に延びる４個の脚体を有してなるブロックであって、該ブロックの前記脚体の軸線は該ブロックの重心と合致するように構成されてなる消波ブロックにおいて、前記４個の脚体のうち、前記３個の脚体によって構成される略水平面中央部位に凹陥部を形成したことにより実現した。
【実施例】
【００３３】
以下、本発明の消波ブロックについて、好適な実施例をあげて説明する。図１〜図６は本発明の第１実施例に係る消波ブロックを示し、図１は該消波ブロックの正面図、図２は背面図、図３は右側面図、図４は左側面図、図５は平面図、図６は底面図である。
【００３４】
図１〜図６において、本発明に係る消波ブロック１は、例えば型枠にコンクリートを流し込んで一体的に成形された４個の同一形状をした脚体２ａ，２ｂ，２ｃ，２ｄを有して、四脚体として構成されている。また、該各脚体２ａ，２ｂ，２ｃ，２ｄは、その各基端部３ａ，３ａ，３ａ，３ａを互いに結合させて一体化されているとともに、これら各脚体２ａ，２ｂ，２ｃ，２ｄの軸線４，４，４，４を該消波ブロック１の中心Ｏ(重心)で合致させ、これら４個の脚体２ａ，２ｂ，２ｃ，２ｄが中心Ｏから略１２０°間隔で放射状に延設された構成となっている。
【００３５】
なお、本実施例においては、前記４個の脚体２ａ，２ｂ，２ｃ，２ｄは横断面が正六角形に形成されている。また、各脚体２ａ，２ｂ，２ｃ，２ｄは、横断面面積が基端部３ａ側から先端部３ｂに行くに従って徐々に小さくなる先細りをした六角錐状に形成され、先端部３ｂの端面はカットして平坦面に形成されている。  
【００３６】
また、４個の脚体２ａ，２ｂ，２ｃ，２ｄのうちの、３個の前記脚体(図１の場合では脚体２ａ，２ｂ，２ｃ)の基端部３ａ，３ａ，３ａが各々集合している４箇所の部位はそれぞれ略水平面をなして形成されており、該水平面の中央部位にそれぞれ凹陥部５，５，５，５を設けている。各凹陥部５，５，５，５は、不連続に離間して形成された３個の第１凹陥部５ａ，５ａ，５ａと該３個の第１凹陥部５ａ，５ａ，５ａで囲まれた内側部位に設けられた１個の第２凹陥部５ｂとからなる。
【００３７】
そして、前記第１凹陥部５ａ，５ａ，５ａは、３個の前記脚体(図１の場合では脚体２ａ，２ｂ，２ｃ)のうち、相互に隣接し合っている脚体(図１の場合では脚体２ａと２ｂ、２ｂと２ｃ、２ｃと２ａ)間に切り欠き部６を設けた状態にして、脚体(図１の場合では脚体２ａと２ｂ、２ｂと２ｃ、２ｃと２ａ)相互間に各々脚体の基端部３ａ，３ａ，３ａに沿って、３個ずつ形成されたものである。なお。切り欠き部６は、第１凹陥部５ａ内に入り込んだ水を外部に排出し易くする。
【００３８】
他方、前記第２凹陥部５ｂは、３個の第１凹陥部５ａ，５ａ，５ａで囲まれた内側部位に、該第１凹陥部５ａの内方に段設部を設けた状態で形成され、第１凹陥部５ａ，５ａ，５ａよりも中心Ｏ側に奥まった状態で平面視角形に形成されている。また、第２凹陥部５ｂの底面８には、図示しない微小な縞状の凹凸が形成してある。
【００３９】
このように構成された消波ブロック１は、漁港、海岸、河川等の岸近くの水中及び堤防に並べて配置されて消波構造物を構築する。なお、消波構造物の構築においては、消波ブロック１は一段配列とは限らなく、数段とすることもある。
【００４０】
そして、水中に設置された消波ブロック１は、該消波ブロック１に向かって波浪が来襲すると、その波浪を形成している波の水魂の一部を脚体２ａ，２ｂ，２ｃ，２ｄの表面より奥まっている凹陥部５内に取り込んで波のエネルギーを吸収するとともに、凹陥部５から流出される水魂と該凹陥部５外側の水魂相互が衝突することにより波のエネルギーを低減させて消波に寄与する。
【００４１】
また、凹陥部５は波の衝撃を緩和すると同時に、第１凹陥部(上段)５ａ，５ａ，５ａはブロック１の外面近くに設けられているので水が溜まりにくいが、第２凹陥部（下段）５ｂは第１凹陥部５ａ，５ａ，５ａよりも奥まった内側に設けられているので水が溜まり易く、該第２凹陥部５ｂに海藻等の胞子が捕捉されて藻や魚介類等の多様な生息環境を形成する。さらに、底面８には縞状の微小の凹凸面を設けているので、該微小の凹凸面が藻類及びアワビ等の貝類の付着をし易くする。
【００４２】
図７〜図１４は本発明の第２実施例に係る消波ブロックを示し、図７は該消波ブロックの正面図、図８は背面図、図９は右側面図、図１０は左側面図、図１１は平面図、図１２は底面図、図１３図は図１２のＡ―Ａ線断面図、図１４は図１２のＢ−Ｂ線断面図である。
【００４３】
図７〜図１４において、本発明の第２実施例における消波ブロック１０の構成は、図１〜図６に示した第１実施例における消波ブロック１の中心部に空洞の貯留部１１と、該貯留部１１内と４個の凹陥部５，５，５，５内の各間をそれぞれ連結している４個の管状連結部１２，１２，１２，１２を設けたものであり、他の構成は図１〜図６と同一であるから、同一の構成部分には同一符号を付して重複説明を省略する。
【００４４】
前記貯留部１１は、図１３及び図１４に示すように、消波ブロック１０の中心に設けた空洞部を形成してなる。
【００４５】
前記管状連結部１２は、一端側が第２凹陥部５ｂにおける底面８の中心部に開口され、他端側が前記貯留部１１内に開口されている通路であり、本実施例においては横断面六角形に形成されている。また、各管状連結部１２は、横断面積が凹陥部５側から貯留部１１に行くに従って徐々に小さくなる先細りの形状に形成されている。
【００４６】
このように構成された消波ブロック１０は、水中に設置された状態において該消波ブロック１０に向かって波浪が来襲すると、その波浪を形成している波の水魂の一部を脚体２の表面より奥まっている凹陥部５内に取り込むとともに、管状連結部１２を通して波の一部を貯留部１１内にも取り込んで波のエネルギーを吸収する。また、凹陥部５から流出される水魂と凹陥部５外側の水魂相互が衝突することにより波のエネルギーが低減されて消波に寄与する。
【００４７】
特に中心部における貯留部１１と４個の凹陥部５の各間が管状連通部１２を介して相互に通じているので、荒天時の波浪は貯留部１１に到達する経路(凹陥部５と管状連結部１２)において、急縮・急拡されてエネルギーを損失し、消波される。また、特に貯留部１１に貯留された水魂は、引き波時に反射波と位相差をもって放出されるので、さらに消波効果が高まる。また、静穏時には、貯留部１１内は、稚魚・魚介類の産卵場や生息場として寄与する。
【００４８】
なお、本発明は、本発明の精神を逸脱しない限り種々の改変を為すことができ、そして、本発明が該改変されたものに及ぶことは当然である。
【図面の簡単な説明】
【００４９】
【図１】本発明の第１実施例に係る消波ブロックの正面図。
【図２】同上第１実施例に係る消波ブロックの背面図。
【図３】同上第１実施例に係る消波ブロックの右側面図。
【図４】同上第１実施例に係る消波ブロックの左側面図。
【図５】同上第１実施例に係る消波ブロックの平面図。
【図６】同上第１実施例に係る消波ブロックの底面図。
【図７】本発明の第２実施例に係る消波ブロックの正面図。
【図８】同上第２実施例に係る消波ブロックの背面図。
【図９】同上第２実施例に係る消波ブロックの右側面図。
【図１０】同上第２実施例に係る消波ブロックの左側面図。
【図１１】同上第２実施例に係る消波ブロックの平面図。
【図１２】同上第２実施例に係る消波ブロックの底面図。
【図１３】図１２のＡ―Ａ線断面図。
【図１４】図１２のＢ―Ｂ線断面図。
【符号の説明】
【００５０】
１      消波ブロック
２ａ，２ｂ，２ｃ，２ｄ      脚体３ａ    基端部
３ｂ    先端部
４      軸線
５      凹陥部
５ａ    第１凹陥部
５ｂ    第２凹陥部
６      切り欠き部
８      底面
１０    消波ブロック
１１    貯留部
１２    管状連結部
Ｏ      中心(重心)
【図１】
0004440954.tif 000002
【図２】
0004440954.tif 000003
【図３】
0004440954.tif 000004
【図４】
0004440954.tif 000005
【図５】
0004440954.tif 000006
【図６】
0004440954.tif 000007
【図７】
0004440954.tif 000008
【図８】
0004440954.tif 000009
【図９】
0004440954.tif 000010
【図１０】
0004440954.tif 000011
【図１１】
0004440954.tif 000012
【図１２】
0004440954.tif 000013
【図１３】
0004440954.tif 000014
【図１４】
0004440954.tif 000015